(57)【要約】      （修正有）【課題】髪型の乱れを軽減できる髪型調整補助具付帽子を提供する。【解決手段】つば１ａを有する帽子１と、マグネットシート２および補助つば３からなる髪型調整補助具とを備えた髪形調整補助具付帽子であり、補助つば３は磁力で着脱自在に取り付けられるものであって、マグネットシート２がつば１ａに取り付けられ、帽子１を装着した状態で、補助つば３とつば１ａあるいはマグネットシート２とにより、前髪が挟持され、補助つば３が磁力により固定されることを特徴とする髪形調整補助具付帽子。【選択図】図３
0003138449.tif 000002
【実用新案登録請求の範囲】
【請求項１】
つばを有する帽子と、二つの板状部材からなる髪型調整補助具とを備えた髪型調整補助具付帽子であり、
前記二つの板状部材のうち少なくとも一方が磁性体であり、他方が磁力で着脱自在に取り付け可能なものであって、
前述二つの板状部材のうち、第一の板状部材が前述つばに取り付けられ、前述帽子を装着した状態で、第二の板状部材と前述つばあるいは、前記第一の板状部材とにより、前髪が狭持され、前記第二の板状部材が磁力により固定されることを特徴とする、髪型調整補助具付帽子。
【考案の詳細な説明】
【技術分野】
【０００１】  本考案は、髪型調整補助具付帽子に関するものである。
【背景技術】
【０００２】  帽子は、転倒による頭部の保護や、夏の強い日差しによる日射病及び熱射病の予防には、欠かせないものである。
しかし、帽子をかぶると、髪が頭部にペッタリと張り付いてしまう。そのため、着用をためらう人も少なくない。また、一度着用すると、髪型の乱れが気になり、帽子を取るのをためらう人も多い。一例として、レストランで帽子をかぶったまま、食事をする人をよく見かける。
【考案の開示】
【考案が解決しようとする課題】
【０００３】  このように帽子をかぶることで、髪型、特に前髪が乱れてしまうという問題があった。本考案は、このような状況下でなされたものであって髪型の乱れを軽減できる髪型調整補助具付帽子を提供することを課題とする。
【課題を解決するための手段】
【０００４】  本考案は、前述した課題を解決するためになされたものであり、以下の構成を備える。
つばを有する帽子と二つの板状部材からなる髪型調整補助具とを備えた髪型調整補助具付帽子であり、
前記二つの板状部材のうち少なくとも一方が磁性体であり、他方が磁力で着脱自在に取り付け可能なものであって、
前述二つの板状部材のうち、第一の板状部材が前述つばに取り付けられ、前述帽子を装着した状態で、第二の板状部材と前述つばあるいは、前記第一の板状部材とにより、前髪が狭持され、前記第二の板状部材が磁力により固定されることを特徴とする、髪型調整補助具付帽子。
【考案の効果】
【０００５】  本考案によれば、髪型の乱れを軽減できる髪型調整補助具付帽子を提供することができる。
【考案を実施するための最良の形態】
【０００６】  本考案は、つばを有する帽子と、二つの板状部材からなる髪型調整補助具とを備えた髪型調整補助具付帽子であり、二枚の板状部材のうち、第一の板状部材をつばに取り付け、他方の第二の板状部材と、つばあるいは、第一の板状部材とで前髪を挟持するものである。二枚の板状部材は、少なくとも一方が磁性体であり、他方は磁力で着脱自在に取り付け可能なものである。
以下、本考案を実施するための最良の形態について、具体的な実施例を用いて説明する。
【実施例】
【０００７】  以下の図面を用いて、本実施例の髪型調整補助具付帽子について説明する。
図１は、本実施例の髪型調整補助具付帽子の上方から見た概略図である。
図２は、本実施例の髪型調整補助具付帽子の下方から見た概略図である。
図３は、本実施例の髪型調整補助具付帽子を前後にかけて切った断面図である。
図４は、補助つばの概略図である。【０００８】  図において、１は帽子、１ａは帽子１のつば、２はマグネットシート（第一の板状部材）、３は補助つば（第二の板状部材）である。
本実施例の髪型調整補助具付帽子において、帽子１のつば１ａに磁性体としてのマグネットシート２を埋設する。しかしながら、マグネットシート２のつば１ａへの取り付け位置は特に限定されず、つば１ａの表面や裏面に取り付けてもよい。【０００９】  しかしながら、デザイン面から、マグネットシート２が外から見えないようにする方が好ましい。また、マグネットシート２の形状、大きさについては特に制限はないが、つば１ａと補助つば３とにより、前髪を挟んだ際に補助つば３を固定でき、且つ、帽子１の着脱に支障をきたさない程度の重量となるような形状、大きさが好ましい。
また、マグネットシート２は、前髪を挟持できるようにつば１ａの左右方向の略全域に至る大きさである。【００１０】  補助つば３は、マグネットシート２の有する磁石により、マグネットシート２に着脱自在に取り付けられるものであり、例えば、マグネットや金属板である。形状としては、補助つば３の額に当る部分を額に合わせてカーブさせているが、特にこれに限定されず、カーブさせなくてもよい。大きさとしてはつば１ａよりひとまわり小さい方が、補助つば３が目立たずデザイン的には良いが、特にこれに限定されない。また、補助つば３の形状はつば１ａとで前髪を挟んで保持できるものである。【００１１】  使い方としては、帽子１を浅くかぶり、補助つば３を額の下から上にすべらすようにして、前髪を掻き上げる、そして自分の心地良いようにしっかりかぶり、合わせて補助つば３とつば１ａとで前髪を挟んだ状態で、マグネットシート２の磁力により、補助つば３をつば１ａに取り付ける。
なお、補助つば３を不使用の時は、前髪を挟まず、直接つば１ａにくっつけておくことができる。【００１２】    図５から図７は、その他の実施例を示す図である。このように様々な帽子に対応できる。【００１３】  以上、説明したように、本考案によれば以下の効果がある。
１、帽子をかぶることによる髪型、特に前髪の乱れを軽減できる。
２、取り扱いが簡単で、老若男女が使用できる。
３、製作は簡単で、起用の点から安価である。
４、髪型調整補助具としてゴムやウレタンなどの劣化素材を使用しないので耐久性がある。
５、帽子本来の形の美しさを損なわない。
６、髪型調整補助具は直接頭部に接解しないので、かぶった時の違和感がない。
７、帽子を洋服と同じような感覚で楽しめるようにすることで、帽子の使用頻度が増し、頭部保護と共に帽子の需要が増えるという経済効果もある。
８、補助つばは、帽子の形や色柄にすることで、洋服と帽子のトータルファッションを楽しむことができる。
【図面の簡単な説明】
【図１】  髪型調整補助具付帽子の上方から見た図
【図２】  髪型調整補助具付帽子の下方から見た図
【図３】  髪型調整補助具付帽子を前後にかけて切った断面図
【図４】  補助つばを上方から見た図
【図５】  髪型調整補助具付帽子のその他の実施例を示す図
【図６】  髪型調整補助具付帽子のその他の実施例を示す図
【図７】  髪型調整補助具付帽子のその他の実施例を示す図
【符号の説明】
１  帽子
１ａ  つば
２  マグネットシート
３  補助つば
【図１】
0003138449.tif 000003
【図２】
0003138449.tif 000004
【図３】
0003138449.tif 000005
【図４】
0003138449.tif 000006
【図５】
0003138449.tif 000007
【図６】
0003138449.tif 000008
【図７】
0003138449.tif 000009